(57)【特許請求の範囲】
【請求項１】
映像信号、主音声信号及び副音声信号を、放送用信号として、外部から入力するための入力部と、
前記入力部を介して入力された前記放送用信号を符号化する符号化部と、
該符号化部にて符号化されたデジタルデータと放送用の付加データとを多重化して、放送用のＴＳ信号を生成する多重化部と、
前記多重化部にて生成されたＴＳ信号を、所定放送チャンネルのテレビ放送信号に変調して出力する変調部と、
を備え、
前記入力部に、
前記主音声信号及び前記副音声信号をそのまま入力するか、信号経路を切り換えることで、前記主音声信号及び前記副音声信号を、主副を切り換えて入力するかを、外部操作によって切り換えるための主副切換回路、
を設けたことを特徴とするデジタル変調器。
【請求項２】
請求項１に記載のデジタル変調器を一対備えると共に、
該一対のデジタル変調器から出力されるテレビ放送信号を混合して出力する混合器を備え、
前記一対のデジタル変調器の入力部に、映像信号、主音声信号及び副音声信号にて構成される同一の放送用信号が入力され、
一方のデジタル変調器の前記主副切換回路が、前記主音声信号及び前記副音声信号をそのまま入力し、他方のデジタル変換器の前記主副切換回路が、前記主音声信号及び前記副音声信号を、主副を切り換えて入力するように設定され、
前記一対のデジタル変調器が前記変調部から出力するテレビ放送信号の放送チャンネルが、互いに異なる放送チャンネルに設定されていることを特徴とする自主放送システム。
【発明の詳細な説明】
【技術分野】
【０００１】
本発明は、ホテル等の施設や特定の地域で、所定チャンネルのテレビ放送信号を使った自主放送を行うのに用いられるデジタル変調器、及び、そのデジタル変調器を備えた自主放送システムに関する。
【背景技術】
【０００２】
従来、自主放送システムにて利用されるデジタル変調器は、自主放送用の映像信号及び音声信号を符号化し、その符号化したデジタルデータ（映像・音声データ）と番組表等の付加データとを多重化することで、放送ＴＳ（Transport Stream）と呼ばれる放送データを生成し、その生成した放送データを、所定放送チャンネルの放送信号にＯＦＤＭ変調するように構成されている（例えば、特許文献１等参照）。
【先行技術文献】
【特許文献】
【０００３】
【特許文献１】特開２０１１−１９９８５９号公報
【発明の概要】
【発明が解決しようとする課題】
【０００４】
ところで、従来のデジタル変調器は、音声信号が主音声信号と副音声信号とから構成されている場合、各音声信号の主・副を変更することなく、そのまま符号化するようにされている。
【０００５】
このため、例えば、主音声が日本語で、副音声が英語の場合、端末側のテレビ受信器では、自主放送の放送チャンネルを選局した直後には、必ず、主音声の日本語が再生されることになる。
【０００６】
なお、これは、テレビ受信器は、音声信号に関しては所謂ラストステート機能がなく、選局中のテレビ放送の音声を主音声から副音声に切り換えても、選局チャンネルの切り換え、テレビ受信器の電源オフ等によって、音声の切り換え状態がリセットされてしまうからである。
【０００７】
従って、例えば、ホテルで宿泊客が英語しか理解できない外国人である場合、その宿泊客は、自室のテレビ受信器を使って、自主放送されている放送番組を見るには、その放送番組を選局した後、音声を主音声から副音声に切り換えなければならず、使い勝手が悪いという問題があった。
【０００８】
また、テレビ受信器の音声切り換えの操作は、頻繁に行われるものではなく、テレビ放送の選局操作に比べて分かり難い。このため、使用者によっては、音声の切り換え方法がわからず、折角２カ国語で自主放送しても、副音声が利用されないことがある。
【０００９】
本発明は、こうした問題に鑑みなされたものであり、２カ国語放送を行う際に主音声と副音声とを任意に設定し得るデジタル変調器を提供することで、外国人向けのテレビ放送信号を簡単に生成できるようにすることを目的とする。
【課題を解決するための手段】
【００１０】
かかる目的を達成するためになされた請求項１に記載のデジタル変調器は、
映像信号、主音声信号及び副音声信号などの放送用信号を外部から入力するための入力部と、
前記入力部を介して入力された前記放送用信号を符号化する符号化部と、
該符号化部にて符号化されたデジタルデータと放送用の付加データとを多重化して、放送用のＴＳ信号を生成する多重化部と、
前記多重化部にて生成されたＴＳ信号を、所定放送チャンネルのテレビ放送信号に変調して出力する変調部と、
を備え、
前記入力部に、前記主音声信号と前記副音声信号とをそのまま入力するか、主副を切り換えて入力するかを、外部操作によって切り換えるための主副切換回路、
を設けたことを特徴とする。
【００１１】
また，請求項２に記載の自主放送システムは、
請求項１に記載のデジタル変調器を一対備えると共に、
該一対のデジタル変調器から出力されるテレビ放送信号を混合して出力する混合器を備え、
前記一対のデジタル変調器の入力部に、映像信号、主音声信号及び副音声信号などの同一の放送用信号が入力され、
一方のデジタル変調器の前記主副切換回路が、前記主音声信号及び前記副音声信号をそのまま入力し、他方のデジタル変換器の前記主副切換回路が、前記主音声信号と前記副音声信号とを切り換えて入力するように設定され、
前記一対のデジタル変調器が前記変調部から出力するテレビ放送信号の放送チャンネルが、互いに異なる放送チャンネルに設定されていることを特徴とする。
【発明の効果】
【００１２】
請求項１に記載のデジタル変調器においては、上述した従来のデジタル変調器と同様、放送用信号を入力するための入力部と、放送用信号を符号化する符号化部と、符号化部にて符号化されたデジタルデータと放送用の付加データとを多重化する多重化部と、多重化部にて生成されたＴＳ信号を所定放送チャンネルのテレビ放送信号に変調する変調部とを備える。
【００１３】
そして、入力部には、主音声信号と前記副音声信号とをそのまま入力するか、主副を切り換えて入力するかを、外部操作によって切り換えるための主副切換回路が設けられている。
【００１４】
このため、本発明のデジタル変調器によれば、端末側のテレビ受像器の用途に応じて、入力部に入力された主音声信号と副音声信号を切り換えることなくテレビ放送信号として出力することもできるし、主副を切り換えたテレビ放送信号として出力することもできる。
【００１５】
従って、端末側のテレビ受像器の利用者は、本発明のデジタル変調器にて生成されたテレビ放送信号を選局させた際に、音声信号の主副を切り換えることなく、所望の言語でテレビ放送を楽しむことができる。
【００１６】
また、本発明のデジタル変調器によれば、端末側のテレビ受像器の用途に応じて音声信号の主副を設定してから、音声信号を入力する必要がないので、自主放送を行う場合に、音声信号切換用の装置を別途用意する必要がなく、自主放送システムの構成を簡単にすることができる。
【００１７】
次に、請求項２に記載の自主放送システムにおいては、本発明のデジタル変調器を一対備える。そして、その一対のデジタル変調器の入力部には、映像信号、主音声信号及び副音声信号などの同一の放送用信号が入力される。
【００１８】
また、一方のデジタル変調器の主副切換回路は、主音声信号及び副音声信号をそのまま入力するように設定され、他方のデジタル変換器の主副切換回路は、主音声信号と副音声信号とを切り換えて入力するように設定され、更に、これら各デジタル変調器が変調部から出力するテレビ放送信号の放送チャンネルは、互いに異なる放送チャンネルに設定される。
【００１９】
このため、各デジタル変調器から出力されるテレビ放送信号を混合する混合器からは、映像信号が同じで音声信号の主副が異なる２チャンネル分のテレビ放送信号が出力されることになり、この２つのテレビ放送信号を自主放送信号として１本のケーブルで端末側に伝送できる。
【００２０】
従って、端末側では、テレビ受像器に選局させる放送チャンネルを切り換えることで、音声の主副を切り換える操作を行うことなく、自主放送を主音声でも副音声でも楽しむことができるようになり、端末側で自主放送を見るときのテレビ受像器の操作性を向上できる。
【図面の簡単な説明】
【００２１】
【図１】実施形態の自主放送システムの構成を表すブロック図である。
【図２】実施形態のデジタル変調器の構成を表すブロック図である。
【発明を実施するための形態】
【００２２】
以下に本発明の実施形態について説明する。
図１に示すように、本実施形態の自主放送システムは、予め作製されＤＶＤ、ＨＤＤ等の記憶媒体に記憶された放送用信号を再生するための再生装置２と、再生装置２から出力される放送用信号を２分配する分配器４と、分配器４を介して入力される同一の放送用信号を、それぞれ、所定放送チャンネルのテレビ放送信号に変換するための一対のデジタル変調器６、８と、デジタル変調器６、８から出力されるテレビ放送信号を混合して出力する混合器９と、を備える。
【００２３】
ここで、再生装置２が再生する放送用信号は、ホテルの館内放送、地域の告知放送、といった各種自主放送を行うためのものであり、映像信号と音声信号とを含む。また、音声信号は、一般的なテレビ放送と同様、モノラル音声信号、ステレオ音声信号、若しくは、主音声信号と副音声信号との多重音声信号、にて構成される。
【００２４】
デジタル変調器６は、分配器４を介して入力される放送用信号を、そのまま、所定放送チャンネルＮのテレビ放送信号に変換して出力するためのものである。
また、デジタル変調器８は、分配器４を介して入力される放送用信号の音声信号が多重音声信号である場合に、音声信号の主副を切り換えて、デジタル変調器６とは異なる放送チャンネルＭのテレビ放送信号を生成するのに用いられる。
【００２５】
なお、デジタル変調器８は、音声信号がモノラル音声信号若しくはステレオ音声信号である場合には、その音声信号を含む放送用信号をそのままチャンネルＭのテレビ放送信号に変換するように手動で設定される。
【００２６】
デジタル変調器６及び８は、放送用信号の音声信号が多重音声信号である場合に主副を切り換えるか否かの設定、及び、生成するテレビ放送信号のチャンネル設定、が異なるだけであり、装置構成は同じである。
【００２７】
すなわち、図２に示すように、デジタル変調器６及び８は、放送用信号の入力端子として、アナログ入力端子１２と、ＨＤＭＩ（登録商標，High-Definition Multimedia Interface ）入力端子１４と、ＳＤＩ（Serial Digital Interface）入力端子１６との、３種類の入力端子を備える。
【００２８】
そして、これら各入力端子１２、１４、１６を介して入力されたアナログ、ＨＤＭＩ規格、ＳＤＩ規格の放送用信号は、入力切換回路１８に入力される。
入力切換回路１８は、上記３種類の放送用信号の内の何れか一つを選択して、映像信号及び２系統（モノラル、左右、若しくは主副）の音声信号に変換するためのものである。
【００２９】
そして、入力切換回路１８から出力される映像信号は、符号化部２０に入力され、入力切換回路１８から出力される２系統の音声信号は、主副切換回路２２を介して、符号化部２０に入力される。
【００３０】
主副切換回路２２は、入力切換回路１８から入力される２系統の音声信号が主音声信号と副音声信号とから構成されている場合に、その信号経路を切り換えることで、主副を切り換えて出力するためのものである。
【００３１】
なお、入力切換回路１８にて選択される放送用信号、及び、主副切換回路２２が信号経路を切り換えるか否か（換言すれば音声信号の主副を切り換えるか否か）は、制御回路３０により設定される。
【００３２】
次に、符号化部２０は、入力切換回路１８及び主副切換回路２２を介して入力される放送用信号（映像信号＋２系統の音声信号）から、ＨＤ画質にデジタル化された映像・音声データ（例えば、MPEG-2 TS ）を生成するためのものである。
【００３３】
そして、その生成された映像・音声データは、多重化部２４に入力され、多重化部２４にて、時刻情報、番組表情報等の各種付加データと多重化されることにより、デジタル放送信号（放送ＴＳ）に変換される。
【００３４】
また、多重化部２４にて生成されたデジタル放送信号（放送ＴＳ）は、変調部２６に入力され、変調部２６にて、所定放送チャンネルの周波数帯のテレビ放送信号であるＯＦＤＭ信号に変調されて、当該デジタル変調器６又は８から、混合器９へ出力される。
【００３５】
なお、変調部２６にて生成されるテレビ放送信号の放送チャンネルは、制御回路３０により設定される。
次に、制御回路３０は、外部装置（例えば、パーソナルコンピュータや携帯情報端末（タブレット若しくは多機能携帯電話）等）３２との間で無線若しくは有線による通信を行う通信機能を有するマイクロコンピュータにて構成されている。
【００３６】
そして、制御回路３０は、外部装置３２からの指令に従い、入力切換回路１８による放送用信号の選択、主副切換回路２２による信号経路の切り換え（音声信号の主副の切り換え）、変調部２６にて生成されるテレビ放送信号の放送チャンネル、多重化部２４にて映像・音声データに付加する付加データ、等の各種設定を行う。
【００３７】
従って、本実施形態のデジタル変調器６、８は、これらのパラメータを、外部装置３２を使って任意に設定できることになる。
以上説明したように、本実施形態のデジタル変調器６、８においては、入力端子１２、１４、１６から符号化部２０に至る映像及び音声信号の入力部に、入力切換回路１８と主副切換回路２２が設けられている。
【００３８】
そして、主副切換回路２２は、使用者が外部装置３２から制御回路３０を介して、音声信号の信号経路を切り換えることで、音声信号が主音声信号と副音声信号とから構成されている場合に主副を切り換えることができるようにされている。
【００３９】
このため、本実施形態のデジタル変調器６、８によれば、デジタル変調器６のように、音声信号の主音声信号と副音声信号を切り換えることなく、所望放送チャンネルのテレビ放送信号を生成することもできるし、デジタル変調器８のように、音声信号の主副を切り換えて、所望放送チャンネルのテレビ放送信号を生成することもできる。
【００４０】
また、本実施形態の自主放送システムには、音声信号の主副の切り換え、及び、生成するテレビ放送信号の放送チャンネルが、互いに異なるように設定された２つのデジタル変調器６、８を備え、各デジタル変調器６、８にて生成されたテレビ放送信号を混合器９で混合して、端末側に出力するようにされている。
【００４１】
従って、端末側では、テレビ受像器に選局させる放送チャンネルを切り換えることで、音声の主副を切り換える操作を行うことなく、自主放送を主音声でも副音声でも楽しむことができるようになり、端末側で自主放送を見るときのテレビ受像器の操作性を向上できる。
【００４２】
以上、本発明の一実施形態について説明したが、本発明は上記実施形態に限定されるものではなく、本発明の要旨を逸脱しない範囲内にて種々の態様をとることができる。
例えば、上記実施形態では、主副切換回路を専用のハードウェアで実現する方法を示したが、符号化・多重化プロセスの中で、ソフトウェア的に実現してもよい。この場合、ＴＳ信号の中の音声データストリームを、Ｌｃｈ／Ｒｃｈを入れ換えることで実現できる。
【符号の説明】
【００４３】
２…再生装置、４…分配器、６，８…デジタル変調器、９…混合器、１２…アナログ入力端子、１４…ＨＤＭＩ入力端子、１６…ＳＤＩ入力端子、１８…入力切換回路、２０…符号化部、２２…主副切換回路、２４…多重化部、２６…変調部、３０…制御回路、３２…外部装置。
【図１】
0006377429.tif 000002
【図２】
0006377429.tif 000003